(57)【要約】【課題】複数の機能を有効に活用することができる画像形成装置を提供する。【解決手段】複数の機能を有し、該複数の機能の設定をするための表示部９を備えた画像形成装置において、前記複数の機能の中から要求に応じて特定の機能を選択する機能選択手段と、該機能選択手段により選択された前記特定の機能に関する情報７１を前記表示部９に表示する機能表示手段と、を有している。【選択図】図５
2008175862.tif 000002
【特許請求の範囲】
【請求項１】
複数の機能を有し、該複数の機能の設定をするための表示部を備えた画像形成装置において、
前記複数の機能の中から要求に応じて特定の機能を選択する機能選択手段と、
該機能選択手段により選択された前記特定の機能に関する情報を前記表示部に表示する機能表示手段と、を有していることを特徴とする画像形成装置。
【請求項２】
前記機能選択手段により前記特定の機能を複数選択し、
選択された複数の前記特定の機能に関する情報を、前記表示部に順次表示する複数機能表示手段を有していることを特徴とする請求項１に記載の画像形成装置。
【請求項３】
前記特定の機能を前記表示部に表示する時間を設定する表示時間設定手段を有していることを特徴とする請求項１または２に記載の画像形成装置。
【請求項４】
前記機能表示手段または前記複数機能表示手段により前記特定の機能に関する情報が表示されている画面から、その特定の機能に対応した設定画面に切り替える画面切替手段を有していることを特徴とする請求項１〜３のいずれかに記載の画像形成装置。
【請求項５】
前記画面切替手段は、前記表示部に配された専用キーにて実行可能に構成されていることを特徴とする請求項４に記載の画像形成装置。
【請求項６】
前記機能表示手段または前記複数機能表示手段は、操作表示装置を所定の時間操作しなかった場合に実行されることを特徴とする請求項１〜５のいずれかに記載の画像形成装置。
【請求項７】
前記機能選択手段により選択可能な前記特定の機能の絞り込みが可能に構成されていることを特徴とする請求項１〜６のいずれかに記載の画像形成装置。
【請求項８】
前記機能選択手段が、各機能の利用頻度に応じて選択可能に構成されていることを特徴とする請求項１〜７のいずれかに記載の画像形成装置。
【請求項９】
前記機能選択手段により選択される前記特定の機能の数を設定可能に構成されていることを特徴とする請求項１〜８のいずれかに記載の画像形成装置。
【発明の詳細な説明】
【技術分野】
【０００１】
本発明は、画像形成装置に関するものである。
【背景技術】
【０００２】
複写機などの画像形成装置は、複数の機能（例えば、用紙選択機能やコピー濃度設定機能など）を備えており、使用者はそれらの複数の機能の中から１ないし複数の機能を適宜選択して実行させることにより、所望の印刷物を得ることができる。
また、近年の画像形成装置は多機能化しており、画像形成装置が有する全ての機能を設定するためのキーを操作表示部に一括表示させることは困難であるために、各機能に対応付けられたカウンタを設け、所定期間内に選択された頻度の少ない機能を検出し、その機能のショートカットキーをショートカットキー表示部に表示させるものが知られている（例えば、特許文献１参照）。
【特許文献１】特開２００６−６５１４３号公報
【発明の開示】
【発明が解決しようとする課題】
【０００３】
ところで、上述の特許文献１の画像形成装置では、使用頻度の少ない機能のショートカットキーが表示されるものの、ショートカットキーに表示される文字数には限りがあり、ショートカットキー表示部に表示されている文字だけではその機能の内容を把握することができず、結局その機能を有効に活用することができないという虞があった。
【０００４】
そこで、本発明は、上記の事情を鑑みてなされたものであり、複数の機能を有効に活用することができる画像形成装置を提供することを目的とする。
【課題を解決するための手段】
【０００５】
上記の課題を解決するために、請求項１に記載した発明は、複数の機能を有し、該複数の機能の設定をするための表示部を備えた画像形成装置において、前記複数の機能の中から要求に応じて特定の機能を選択する機能選択手段と、該機能選択手段により選択された前記特定の機能に関する情報を前記表示部に表示する機能表示手段と、を有していることを特徴とする。
このように構成することで、選択された各機能に関しての設定方法などの情報を表示部にデモンストレーション表示することができる。
【０００６】
請求項２に記載した発明は、前記機能選択手段により前記特定の機能を複数選択し、選択された複数の前記特定の機能に関する情報を、前記表示部に順次表示する複数機能表示手段を有していることを特徴とする。
このように構成することで、複数の機能に関しての設定方法などの情報を一つずつ順番に表示部にデモンストレーション表示することができる。
【０００７】
請求項３に記載した発明は、前記特定の機能を前記表示部に表示する時間を設定する表示時間設定手段を有していることを特徴とする。
このように構成することで、複雑な機能などに関して時間をかけてデモ画面で視認することができる。
【０００８】
請求項４に記載した発明は、前記機能表示手段または前記複数機能表示手段により前記特定の機能に関する情報が表示されている画面から、その特定の機能に対応した設定画面に切り替える画面切替手段を有していることを特徴とする。
このように構成することで、デモ画面で内容を把握した機能の設定画面を即座に直接確認することができる。
【０００９】
請求項５に記載した発明は、前記画面切替手段は、前記表示部に配された専用キーにて実行可能に構成されていることを特徴とする。
このように構成することで、専用キーを押下するだけで、デモ画面に流れている機能の設定画面に切り替えることができる。
【００１０】
請求項６に記載した発明は、前記機能表示手段または前記複数機能表示手段は、操作表示装置を所定の時間操作しなかった場合に実行されることを特徴とする。
このように構成することで、コンピュータのスクリーンセーバのように、画像形成装置が動作中の場合の待ち時間や画像形成装置のスタンバイ状態の時間などを利用して各機能の情報を表示することができる。
【００１１】
請求項７に記載した発明は、前記機能選択手段により選択可能な前記特定の機能の絞り込みが可能に構成されていることを特徴とする。
このように構成することで、普段利用する可能性がほとんどない機能についてはデモ画面表示の選択肢から除外することができる。
【００１２】
請求項８に記載した発明は、前記機能選択手段が、各機能の利用頻度に応じて選択可能に構成されていることを特徴とする。
このように構成することで、普段あまり利用しない機能のデモ画面を優先的に表示させることができる。
【００１３】
請求項９に記載した発明は、前記機能選択手段により選択される前記特定の機能の数を設定可能に構成されていることを特徴とする。
このように構成することで、少ない機能を選択して繰り返しデモ画面を流すことや、多くの機能を選択してより多くの機能のデモ画面を流すことができる。
【発明の効果】
【００１４】
請求項１に記載した発明によれば、選択された各機能に関しての設定方法などの情報を表示部にデモンストレーション表示することができるため、冊子になっているマニュアルなどを読むことなく表示部のデモ画面を通じて設定方法（操作方法）などを理解することができる効果がある。
【００１５】
請求項２に記載した発明によれば、複数の機能に関しての設定方法などの情報を一つずつ順番に表示部にデモンストレーション表示することができるため、冊子になっているマニュアルなどを読むことなく表示部のデモ画面を通じてより多くの機能の設定方法（操作方法）などを理解することができる効果がある。
【００１６】
請求項３に記載した発明によれば、複雑な機能などに関して時間をかけてデモ画面で視認することができるため、様々な機能を効果的に理解することができる効果がある。
【００１７】
請求項４に記載した発明によれば、デモ画面で内容を把握した機能の設定画面を即座に直接確認することができるため、使用者がその機能の操作方法を実践して、理解し易くすることができる効果がある。
【００１８】
請求項５に記載した発明によれば、専用キーを押下するだけで、デモ画面に流れている機能の設定画面に切り替えることができるため、使用者が容易にその機能の操作方法を実践して、理解し易くすることができる効果がある。
【００１９】
請求項６に記載した発明によれば、コンピュータのスクリーンセーバのように、画像形成装置が動作中の場合の待ち時間や画像形成装置のスタンバイ状態の時間などを利用して各機能の情報を表示することができるため、使用者が効率よく各機能の操作方法などを理解することができる効果がある。
【００２０】
請求項７に記載した発明によれば、普段利用する可能性がほとんどない機能についてはデモ画面表示の選択肢から除外することができるため、効率的に使用者にとって必要な機能の操作方法などを、デモ画面を通じて理解することができる効果がある。
【００２１】
請求項８に記載した発明によれば、普段あまり利用しない機能のデモ画面を優先的に表示させることができるため、使用者がこれまで知らなかった機能や複雑な操作で利用することがなかった機能などの操作方法などをより効率的に理解することができる効果がある。
【００２２】
請求項９に記載した発明によれば、少ない機能を選択して繰り返しデモ画面を流すことや、多くの機能を選択してより多くの機能のデモ画面を流すことができるため、使用者のニーズに合わせて表示部に表示させるデモ画面を選択することができ、使用者が効率よく各機能の操作方法などを理解することができる効果がある。
【発明を実施するための最良の形態】
【００２３】
次に、本発明の実施形態を図１〜図８に基づいて説明する。なお、本実施形態では、複数の機能を有する複合機に採用した場合についての説明をする。
図１に示すように、複合機１は、後述する画像記憶部、画像処理部、印刷部および制御部などを備えた複合機本体３が下部に構成されている。複合機本体３の上部手前側に複合機１の複数の機能の各種操作を実行するための操作部５と、透明電極からなるタッチパネル７が全面に配された表示部９とを備えた操作表示装置１１が構成され、複合機本体３の上部で操作表示装置１１以外の部分には、原稿を自動的に給紙するための自動原稿送り装置（ＡＤＦ）１３と、原稿を読み取るためのスキャナ部１５とを備えた画像読取部１７が構成されている。複合機１は、コピー、プリンタ、ファクスおよびスキャナの機能を有している。
【００２４】
図２に示すように、操作表示装置１１は、操作部５と表示部９とを備えている。操作部５は、使用者による各種の操作指示を受け付け（要求に応じて）、当該操作指示内容を制御部３３に出力する複数のボタン１９で構成されたものである。ボタン１９は、コピー作業やファクス送信作業などを起動するスタートキー１９ａ、コピー枚数やファクスの電話番号などを設定するテンキー１９ｂ、初期設定画面を起動などするファンクションキー１９ｃなどで構成されている。
【００２５】
また、表示部９はカラーまたはモノクロ液晶ディスプレイ（ＬＣＤ）で構成されており、制御部３３から入力された表示指示に基づいて各種画像、文字、図形などで各種情報が表示される。また、使用者が表示部９に表示された各機能キーに触れることによってタッチパネル７が機能し、入力された操作指示内容が制御部３３に出力されるように構成されている。
【００２６】
図３に示すように、複合機１は、主に操作部５、表示部９、画像読取部１７、画像記憶部２７、画像処理部２９、印刷部３１および制御部３３などで構成されている。操作部５および表示部９は、上述の通り制御部３３と通信可能に接続されており、複数の機能の各種操作に対する送受信が行われるように構成されている。
【００２７】
画像読取部１７は、自動原稿送り装置（ＡＤＦ）１３とスキャナ部１５とを備えている。このような画像読取部１７は、制御部３３による制御の下に、自動原稿送り装置１３から供給された原稿がガラス面上に送られ、複合機本体３に内蔵されたスキャナ部１５にて原稿の画像を順次読み取り、原稿画像の色彩を表すカラー画像データを画像読取部２７に出力可能に構成されている。
【００２８】
画像記憶部２７は、ハードディスクなどの外部記憶装置或いは／および半導体メモリなどで構成されており、画像読取部１７から入力された原稿画像のカラー画像データを記憶する。この画像記憶部２７は、制御部３３による制御の下に、読み取られた原稿画像のカラー画像データの書き込みを行うと共に、当該カラー画像データを読み出して画像処理部２９に出力可能に構成されている。
【００２９】
画像処理部２９は、制御部３３による制御の下に、画像記憶部２７から入力されたカラー画像データを印刷用のデータに変換して印刷部３１に出力可能に構成されている。
印刷部３１は、制御部３３による制御の下に、印刷紙を搬送しつつ当該印刷紙にトナーを付着させることにより、上記カラー画像データに基づいて原稿画像を印刷紙上に出力する印刷手段として構成されている。
【００３０】
制御部３３は、操作部５或いは表示部９のタッチパネル７から入力される操作指示、内部メモリに記憶された制御プログラムおよび各種制御用データなどに基づいて、複合機１の全体動作を制御するものである。即ち、制御部３３は、上記操作指示、制御プログラムおよび各種制御用データなどに基づいて制御演算を行うＣＰＵ（Ｃｅｎｔｒａｌ  Ｐｒｏｃｅｓｓｉｎｇ  Ｕｎｉｔ）および他の各部（例えば、操作部５、表示部９、画像読取部１７、画像記憶部２７、画像処理部２９および印刷部３１）とのデータ授受を行う各種入出力インタフェース回線などで構成されており、上記他の各部を統括的に制御することによって、コピーやスキャナの機能を使用して画像読取部１７が読み取った原稿画像を印刷部３１より印刷したり、外部から受信した原稿データをプリンタとして印刷したり、または受信したファクスデータを印刷できるようになっている。
【００３１】
次に、操作表示装置１１と制御部３３との間の構成について図４を用いて詳細に説明する。
図４に示すように、制御部３３には、所定のプログラムに基づいて表示部９の表示方法を制御する表示制御ＣＰＵ４５と、所定のプログラムおよびデータが格納されるＲＯＭ４７と、各種データなどが一時的に保管されワーキングエリアとして機能するＲＡＭ４９が備えられている。
【００３２】
表示制御ＣＰＵ４５、ＲＯＭ４７およびＲＡＭ４９から得られたデータや操作信号は、液晶表示画面を構成する表示部９への表示データを展開するＶＲＡＭ５１および入出力ポート６３と通信可能に構成されている。
【００３３】
また、ＶＲＡＭ５１には、表示データに基づいて表示部９を駆動する液晶ドライバ５３が通信可能に構成され、液晶ドライバ５３により操作表示装置１１の表示部９に必要な画像が表示されるように構成されている。
【００３４】
更に、タッチパネル７は、使用者が押下したタッチパネル７の位置を検出する位置検出部５５と通信可能に構成されている。タッチパネル７上のある一点を押下すると、タッチパネル７に設けられた抵抗により、縦方向および横方向の座標を位置検出部５５にて検出可能に構成されている。
【００３５】
また、スタートキー１９ａ、テンキー１９ｂまたはファンクションキー１９ｃなどの各種ボタン１９の背面に配置されたＬＥＤなどで構成される個別表示素子５７に対して出力可能に構成されたドライバ回路５９と、スタートキー１９ａ、テンキー１９ｂまたはファンクションキー１９ｃなどの各種ボタン１９からの操作信号が入力されるバッファ回路６１とが構成されている。
【００３６】
入出力ポート６３は、位置検出部５５およびバッファ回路６１からの信号を入力可能に構成され、ドライバ回路５９へ信号を出力可能に構成されており、さらに、表示制御ＣＰＵ４５と入出力可能に構成されている。
【００３７】
表示画面は、表示部９とタッチパネル７とを備えて構成されている。タッチパネル７が押圧されると、位置検出部５５で検出された位置情報が入出力ポート６３を介して表示制御ＣＰＵ４５に入力され、表示制御ＣＰＵ４５によりＶＲＡＭ５１に展開されている表示データに基づいてどの機能キーが選択されたかが判断される。液晶ドライバ５３はＶＲＡＭ５１に展開された表示データに基づいて表示部９を駆動する。これらの動作により、表示画面にある機能キーの入力があるとプログラムに基づいて表示画面の表示が更新制御されるように構成されている。
【００３８】
ここで、ＲＯＭ４７には、複合機１の各種機能の内容や操作方法などを説明するデモ画面データが保存されている。このデモ画面データは、表示部９へ表示され、使用者に対して各種機能の内容や操作方法などを理解してもらうことができるような画面データである。このデモ画面データは、機能毎に独立しており、一つの機能のデモ画面データのみを読み出すこともでき、また、複数の機能のデモ画面データを読み出すこともできるように構成されている。
また、ＲＯＭ４７から読み出されたデモ画面データは、一度ＲＡＭ４９などに保管され、ＲＡＭ４９から当該データを読み出して、表示部９に表示されるように構成されている。
【００３９】
次に、表示部９へ表示されるデモ画面の表示映像について図５を用いて説明する。
図５に示すように、デモ画面７１は表示部９の略中央部に表示される。デモ画面７１は、表示部９を縮小した画面を表示するように構成されており、ある特定機能を使用する際には、どのキーを押せばその特定機能を使用することができるか、また、ある特定機能の詳細な設定を行うにはどのキーを押せばよいか、などの方法が分かるように順序立てて説明される（機能表示手段）。また、その特定機能を用いるとどのような効果があるかもデモ画面７１にて表示可能に構成されている。
【００４０】
なお、デモ画面７１が表示される際に、音声による説明が同時になされるように構成してもよい。また、デモ画面７１で表示されている特定機能を実行するときに押下するキーを分かり易くするために、キーを囲うように表示したり、キーの色を変色させて分かり易くしたり、などするとなお良い。
【００４１】
また、デモ画面７１の下方には、切替キー７３が表示されている。切替キー７３を押下すると、そのとき表示されている特定機能の設定画面へ表示部９を切り替えることができるように構成されている（画面切替手段）。なお、切替キー７３の位置は、デモ画面７１の下方に限らず、表示部９内に表示されていればよい。
【００４２】
つまり、デモ画面７１で表示されている特定機能を即座に実行したいときに切替キー７３を押下すると、その特定機能の設定画面へと表示部９が切り替わり、その特定機能を用いることができる。したがって、通常使用頻度の低い機能などを実際に使用することができる。
【００４３】
次に、デモ画面７１の設定方法について図６、図７を用いて説明する。
図６は、デモ画面７１にどの特定機能の映像を表示するかを設定する際の設定画面７５である。この設定画面７５は、操作部５のボタン１９や表示部９に表示されている機能キーを操作することで表示させることができるように構成されている。
【００４４】
図６に示すように、設定画面７５には、その上段にどの機能に関してのデモ画面７１を表示させるかを選択する機能設定部７７が表示され、下段にはどれ位の期間使用していない特定機能のデモ画面７１を表示させるかを選択する期間設定部７９が表示されている。ここで、機能設定部７７は、「コピー」、「プリンタ」、「ファクス」および「スキャナ」の中から選択できるように構成されている。機能設定部７７では、一つの機能のみを選択することや、複数の機能を選択することができるように構成されている。また、期間設定部７９は、「一度も使っていない」、「一ヶ月使っていない」および「一週間使っていない」の中から選択できるように構成されている。
【００４５】
この機能設定部７７および期間設定部７９には、選択ボタンが各項目の左側に表示されており、各項目の近傍を押下するとタッチパネル７が反応して、選択ボタンの内部に選択されたことがわかるように点が表示される。また、誤って選択した場合には、再度その項目近傍を押下することで選択が解除されるように構成されている。
【００４６】
また、設定画面７５の最下部には、「次へ」と表示された次画面キー８１が表示されており、上記機能設定部７７および期間設定部７９の設定が完了した後に、次画面キー８１を押下すると、各設定部で選択された条件に当てはまる特定機能の一覧表画面８３が表示される（切り替わる）ように構成されている。
さらに、次画面キー８１の右側には、誤って設定画面７５を表示させてしまった際に、もとのスタンバイ画面に戻るための「閉じる」と表示されたキャンセルキー８２が表示されている。キャンセルキー８２を押下すると、表示部９がスタンバイ画面へと切り替わるように構成されている。
【００４７】
図７に示すように、一覧表画面８３は、画面左半分に上述の各設定部で選択された条件にあてはまる特定機能が表示されている特定機能表示部８５が構成され、画面右半分にデモ画面７１に連続的に表示させる特定機能の数を選択できる表示数設定部８７が構成されている。
【００４８】
特定機能表示部８５に表示される特定機能が多い場合には、図７のようにスクロールさせて表示できるように構成されている。例えば、機能設定部７７でコピーとプリンタを選択したときには、図７のようにコピー機能の中で該当する特定機能のリストが表示され、その後にプリンタ機能の中で該当する特定機能のリストが表示される。そして、各特定機能の左端部には選択キーが表示されており、デモ画面７１に表示させる特定機能を選択できるように構成されている（機能選択手段）。
【００４９】
また、表示数設定部８７は、「５」、「１０」、「１５」および「制限無し」の中から選択できるように構成されている。つまり、表示部９が一度デモ画面７１に切り替えられると、何か他の操作をしない限り、表示部９にはデモ画面７１が表示され続けるように構成されているが、その際にいくつの特定機能のデモ画面７１を表示させるかを選択できるように構成されている。
ここで、特定機能表示部８５で選択した特定機能の数が、表示数設定部８７で設定した数よりも多く選択しようとしたときには、表示部９に警告表示をしたり、それ以上選択できないように構成されている。
【００５０】
表示数を少なくすると同一の特定機能のデモ画面７１が何度も繰り返し表示されるようになり、使用者がその特定機能のデモ画面７１を見る確率が高くなり、その特定機能の使用方法などを理解し易くすることができる。逆に、表示数を多くすると多くの特定機能のデモ画面７１が表示され、全く知らない機能やほとんど使用せずに操作方法を忘れている機能などについての理解を深めることができる。
【００５１】
そして、一覧表画面８３の最下部には、「完了」と表示された設定完了キー８９が表示されている。設定完了キー８９を押下することで、デモ画面の設定を完了し、表示部９がスタンバイ画面に切り替わるように構成されている。
【００５２】
次に、本実施形態の作用について説明する。
図８に示すように、複合機１に電源を入れ、しばらくすると表示部９がスタンバイ画面９１となり、各種操作をすることができる。ここで、スタンバイ画面９１は使用頻度の高いコピー画面としている。なお、スタンバイ画面９１はコピー画面でなく、他機能、例えばファクス画面になるように設定することもできる。
【００５３】
ここで、ある一定時間操作表示装置１１が操作がされていないと制御部３３が判断すると、表示部９がスタンバイ画面９１からデモ画面７１に切り替わる。つまり、表示制御ＣＰＵ４５がある一定時間操作表示部１１が操作されていないと判断すると、ＲＡＭ４９に保存されているデモ画面７１のデータを表示するように指示を出し、デモ画面７１のデータがＶＲＡＭ５１へ送られ、ＶＲＡＭ５１でデモ画面７１のデータを展開して液晶ドライバ５３へと送られ、液晶ドライバ５３で表示部９を駆動させて、表示部９にデモ画面７１を表示させる。また、上述の一定時間は、予め操作表示部１１を操作することで例えば５分など、設定することができる。
【００５４】
デモ画面７１が表示されている際に、表示されている特定機能を使用したい場合には、切替キー７３を押下することで、その特定機能の設定画面へと切り替わる。つまり、タッチパネル７を押下することで、位置検出部５５により押下した位置を検出し、その情報が入出力ポート６３を経由して表示制御ＣＰＵ４５へと送られる。表示制御ＣＰＵ４５にて切替キー７３を押下したと判断すると、その時に表示されている特定機能の種類を判断し、その特定機能の設定画面を表示するように指示を出す。表示制御ＣＰＵ４５から送出された指示（情報）は、ＶＲＡＭ５１を経由して液晶ドライバ５３へと送られ、その情報に基づいて、その特定機能の設定画面が表示部９に表示される。
【００５５】
ここで、切替キー７３は押下するときに表示されている特定機能の設定画面へ切り替わるように構成されている。つまり、表示されている特定機能のデモ画面７１が別の特定機能のデモ画面７１に切り替わると、それに合わせて切替キー７３を押下して切り替わる画面も変更されることとなる。
【００５６】
また、表示部９の切替キー７３以外の領域を押下するとスタンバイ画面へと戻る。また、操作部５のボタン１９のいずれかを押下することでもスタンバイ画面へと戻る。この情報の流れは上述と略同等のため、説明を省略する。
【００５７】
デモ画面７１は、設定画面７５および一覧表画面８３で選択された条件に該当する特定機能についての操作方法などの説明が表示される。複数の特定機能を選択した場合には、ある所定時間ごとに順次説明が切り替わりながらその特定機能の操作方法などが表示される（複数機能表示手段）。つまり、表示制御ＣＰＵ４５において所定時間が経過する度に液晶ドライバ５３へ情報を送り、表示部９に表示されている特定機能のデモ画面７１を次の特定機能のデモ画面７１へと切り替えられるように構成されている。この所定時間は、予め操作表示部１１を操作することで設定することができる（表示時間設定手段）。
【００５８】
本実施形態によれば、複数の機能を有する複合機１において、複数の機能の中から特定機能を選択できるようにし、選択された特定機能の操作方法などの情報を表示部９にデモ画面７１として表示するようにしたため、選択された特定機能に関しての設定方法などの情報を、冊子になっているマニュアルなどを読むことなく表示部９のデモ画面７１を通じて設定方法（操作方法）などを容易に理解することができる。
【００５９】
また、上述の特定機能を複数選択できるようにし、選択された複数の特定機能に関する情報を、表示部９に順次表示できるようにしたため、複数の特定機能に関しての設定方法などの情報を一つずつ順番に表示部９にデモ画面７１として表示することができ、冊子になっているマニュアルなどを読むことなく表示部９のデモ画面７１を通じてより多くの機能の設定方法（操作方法）などを理解することができる。
【００６０】
また、特定機能を表示部９に表示させる時間を設定できるようにしたため、たとえば複雑な特定機能などに関して表示時間を多くすることで時間をかけてデモ画面７１で視認することができ、様々な特定機能を効果的に理解することができる効果がある。
【００６１】
また、特定機能に関する情報がデモ画面７１として表示されている画面から、その特定機能に対応した設定画面に切り替えるための切替キー７３を表示部９に表示するようにして画面切り替えを可能にしたため、デモ画面７１で内容を把握した特定機能の設定画面を即座に直接確認することができ、使用者がその特定機能の操作方法を実践して、理解し易くすることができる。さらに、切替キー７３を押下するだけで、デモ画面７１に流れている特定機能の設定画面に切り替えることができるため、使用者が容易にその特定機能の操作方法を実践することができる。
【００６２】
また、操作表示装置１１を所定の時間操作しなかった場合に表示部９にデモ画面７１が表示されるようにしたため、コンピュータのスクリーンセーバのように、複合機１が動作中の場合の待ち時間や複合機１のスタンバイ状態の時間などを利用して各特定機能の情報を表示することができ、使用者が効率よく各特定機能の操作方法などを理解することができる。
【００６３】
また、デモ画面７１として表示させる機能を、設定画面７５の機能設定部７７にて絞り込みできるようにしたため、普段利用する可能性がほとんどない機能についてはデモ画面表示の選択肢から除外することができ、効率的に使用者にとって必要な機能の操作方法などを、デモ画面７１を通じて理解することができる。
【００６４】
さらに、デモ画面７１として表示させる特定機能を、設定画面７５の期間設定部７９にてその特定機能の利用頻度に応じて選択できるようにしたため、普段あまり利用しない特定機能のデモ画面７１を優先的に表示させることができ、使用者がこれまで知らなかった特定機能や複雑な操作で利用することがなかった特定機能などの操作方法などをより効率的に理解することができる。
【００６５】
そして、デモ画面７１として表示させる特定機能の数を一覧表画面８３の表示数設定部８７にて設定できるようにしたため、少ない特定機能のみを選択して繰り返しデモ画面７１を流すことや、多くの特定機能を選択してより多くの特定機能のデモ画面７１を流すことができ、使用者のニーズに合わせて表示部９に表示させるデモ画面７１を選択することができ、使用者が効率よく特定機能の操作方法などを理解することができる。
【００６６】
尚、本発明の技術範囲は上述した実施形態に限られるものではなく、本発明の趣旨を逸脱しない範囲において種々の変更を加えることが可能である。すなわち、本実施形態で挙げた具体的な方法などは一例に過ぎず、適宜変更が可能である。
例えば、本実施形態においては、複合機の場合の説明をしたが、複写機やファクス専用機など様々な機能を有する画像形成装置に採用することができる。
【図面の簡単な説明】
【００６７】
【図１】本発明の実施形態における複合機の斜視図である。
【図２】本発明の実施形態における操作表示装置の斜視図である。
【図３】本発明の実施形態における複合機のブロック図である。
【図４】本発明の実施形態における制御部と操作表示装置との関係を示すブロック図である。
【図５】本発明の実施形態におけるデモ画面が表示されたときの表示部の説明図である。
【図６】本発明の実施形態における設定画面の説明図である。
【図７】本発明の実施形態における一覧表画面の説明図である。
【図８】本発明の実施形態におけるスタンバイ画面の説明図である。
【符号の説明】
【００６８】
１…複合機（画像形成装置）  １１…操作表示装置  ７１…デモ画面（特定の機能に関する情報）  ７３…切替キー（専用キー）  
【図１】
2008175862.tif 000003
【図２】
2008175862.tif 000004
【図３】
2008175862.tif 000005
【図４】
2008175862.tif 000006
【図５】
2008175862.tif 000007
【図６】
2008175862.tif 000008
【図７】
2008175862.tif 000009
【図８】
2008175862.tif 000010